(57)【要約】【課題】ＩＰネットワークを利用して地上デジタル放送を配信する場合に、各地域に応じた番組情報テーブルを作成することができる地上デジタル放送の受信装置を提供する。【解決手段】ＩＰ（Ｉｎｔｅｒｎｅｔ  Ｐｒｏｔｏｃｏｌ）ネットワークを利用して配信されるデジタル放送を受信する受信装置であって、前記デジタル放送をＩＰパケット化したＩＰ放送ストリームを受信する受信手段と、前記ＩＰ放送ストリームの送出装置に対し、所望の前記ＩＰ放送ストリームを要求する要求メッセージを送信するストリーム要求手段と、受信した前記ＩＰ放送ストリームを選局するためのチャンネル情報を記憶する記憶手段と、前記ストリーム要求手段により、複数チャンネルの前記ＩＰ放送ストリームを前記送出装置に対して要求し、受信可能な前記ＩＰ放送ストリームの前記チャンネル情報を前記記憶手段に蓄積するチャンネル設定手段と、を備える。【選択図】図６
2007329701.tif 000002
【特許請求の範囲】
【請求項１】
ＩＰ（Ｉｎｔｅｒｎｅｔ  Ｐｒｏｔｏｃｏｌ）ネットワークを利用して配信されるデジタル放送を受信する受信装置であって、
前記デジタル放送をＩＰパケット化したＩＰ放送ストリームを受信する受信手段と、
前記ＩＰ放送ストリームの送出装置に対し、所望の前記ＩＰ放送ストリームを要求する要求メッセージを送信するストリーム要求手段と、
受信した前記ＩＰ放送ストリームを選局するためのチャンネル情報を記憶する記憶手段と、
前記ストリーム要求手段により、複数チャンネルの前記ＩＰ放送ストリームを前記送出装置に対して要求し、受信可能な前記ＩＰ放送ストリームの前記チャンネル情報を前記記憶手段に蓄積するチャンネル設定手段と、
を備えることを特徴とする受信装置。
【請求項２】
前記チャンネル設定手段において、前記送出装置に対し前記ＩＰ放送ストリームを要求する回数を予め定めていることを特徴とする、請求項１に記載の受信装置。
【請求項３】
前記チャンネル設定手段において、前記送出装置に対し前記ＩＰ放送ストリームを要求する回数が変更することを特徴とする、請求項１に記載の受信装置。
【請求項４】
前記送出装置が送出できる前記ＩＰ放送ストリームのチャンネル数を、前記送出装置から取得するチャンネル数要求手段をさらに備えることを特徴とする、請求項３に記載の受信装置。
【請求項５】
前記送出装置に前記ＩＰ放送ストリームを要求した結果、前記送出装置から該当するＩＰ放送ストリームが存在しないことを示すメッセージを受信したことを条件に、チャンネル設定動作を終了することを特徴とする、請求項３又は４に記載の受信装置。
【請求項６】
前記送出装置に前記ＩＰ放送ストリームを要求した後、前記送出装置から該当するＩＰ放送ストリームが一定時間受信できないことを条件に、チャンネル設定動作を終了することを特徴とする、請求項３又は４に記載の受信装置。
【請求項７】
ＩＰ（Ｉｎｔｅｒｎｅｔ  Ｐｒｏｔｏｃｏｌ）ネットワークを利用して配信されるデジタル放送を受信する受信方法であって、
前記デジタル放送をＩＰパケット化したＩＰ放送ストリームを受信するステップと、
前記ＩＰ放送ストリームの送出装置に対し、所望の前記ＩＰ放送ストリームを要求する要求メッセージを送信するステップと、
受信した前記ＩＰ放送ストリームを選局するためのチャンネル情報を記憶するステップと、
前記ストリーム要求手段により、複数チャンネルの前記ＩＰ放送ストリームを前記送出装置に対して要求し、受信可能な前記ＩＰ放送ストリームの前記チャンネル情報を前記記憶手段に蓄積するステップと、
を含むことを特徴とする受信方法。
【発明の詳細な説明】
【技術分野】
【０００１】
本発明は、ＩＰ（Ｉｎｔｅｒｎｅｔ  Ｐｒｏｔｏｃｏｌ）ネットワークを介してデジタル放送を送受信するシステムにおいて、視聴可能なチャンネルを設定する機能を有する受信装置に関する。
【背景技術】
【０００２】
従来の地上放送を受信する一般的なテレビは、視聴可能な番組チャンネルに関する情報を番組情報テーブルとして、不揮発性メモリ等の記憶媒体に保存している。そして、リモコンの数字キーやチャンネルアップ／ダウンキーが押された時に、保存された番組情報テーブルから該当する番組チャンネルを受信するための情報を取得し、選局動作を実施する。しかし、地上放送は地域ごとに視聴できる放送局や放送周波数が異なるため、各地域に該当する番組情報テーブルを個別に用意する必要がある。そのため多くのテレビでは、テレビ放送用として割当てられた周波数帯域を全てスキャンし、視聴可能な番組チャンネルを一つずつ検出することで、番組情報テーブルを生成し、いわゆるチャンネル設定を行なう仕組みを備えている。
【０００３】
一方、日本の地上デジタル放送は、データフォーマットとしてＭＰＥＧ２（Ｍｏｖｉｎｇ  Ｐｉｃｔｕｒｅ  Ｅｘｐｅｒｔｓ  Ｇｒｏｕｐ）トランスポートストリームを採用しており、１つの周波数チャンネルに対し、1本のＭＰＥＧ２トランスポートストリームが含まれている。1本のＭＰＥＧ２トランスポートストリームの中には、複数の番組を多重化することが可能であり、各番組の映像・音声データと共に、概ストリームに含まれる番組を選局するためのＳＩ（Ｓｅｒｖｉｃｅ  Ｉｎｆｏｒｍａｔｉｏｎ）と呼ばれる番組選局情報が多重化されている。このＳＩには、各番組のチャンネル番号・放送局名・リモコンの数字キーに割当てる番号などが含まれており、地上デジタル放送を受信するデジタルテレビでは、このＳＩを基に番組情報テーブルを生成している。番組情報テーブルは、例えば、図５に示すような内容を含んでいる。図５に示すような番組情報テーブルを用いることで、デジタルテレビは、例えば、リモコンの「１」キーが押下された時、デジタルチューナの周波数を９３ｋＨｚに設定してＭＰＥＧ２トランスポートストリームフォーマットの周波数チャンネルデータを受信し、この周波数チャンネルデータに多重化されているチャンネル番号１００の番組を抽出して表示することが可能となる。このような番組情報テーブルを設定する従来技術が知られている（例えば、特許文献１参照。）。
【０００４】
【特許文献１】特開２００４−３２０３９７号公報
【発明の開示】
【発明が解決しようとする課題】
【０００５】
しかしながら、ＩＰネットワークを利用して地上デジタル放送を配信する場合、電波放送とは異なり、周波数スキャンが行なえず、各地域に応じた番組情報テーブルを作成することができないという課題がある。
【０００６】
そこで、本発明の目的は、ＩＰネットワークを利用して地上デジタル放送を配信する場合に、各地域に応じた番組情報テーブルを作成することができる地上デジタル放送の受信装置を提供することである。
【課題を解決するための手段】
【０００７】
前記従来の課題を解決するために、本願第１〜３の発明に係る受信装置は、デジタル放送をＩＰパケット化したＩＰ放送ストリームを受信する受信手段と、ＩＰ放送ストリームの送出装置に対し、所望のＩＰ放送ストリームを要求する要求メッセージを送信するストリーム要求手段と、受信したＩＰ放送ストリームを選局するためのチャンネル情報を記憶する記憶手段と、ストリーム要求手段により、複数チャンネルのＩＰ放送ストリームを送出装置に対して要求し、受信可能な前記ＩＰ放送ストリームのチャンネル情報を記憶手段に蓄積するチャンネル設定手段と、を備えることを特徴とする。これにより、受信装置が受信できるＩＰ放送ストリームのチャンネル情報を収集し、番組情報テーブルを蓄積装置に蓄えることが可能となる。
【０００８】
本願第４の発明に係る受信装置は、送出装置が送出できるＩＰ放送ストリームのチャンネル数を、送出装置から取得するチャンネル数要求手段を備えることを特徴とする。これにより、受信装置は不必要な要求メッセージを送出装置に送信することを防ぐことが可能となる。
【０００９】
本願第５の発明に係る受信装置は、送出装置にＩＰ放送ストリームを要求した結果、送出装置から該当するＩＰ放送ストリームが存在しないことを示すメッセージを受信することを条件に、チャンネル設定動作を終了することを特徴とする。これにより、受信装置は不必要な要求メッセージを送出装置に送信することを防ぐことが可能となる。
【００１０】
本願第６の発明に係る受信装置は、送出装置にＩＰ放送ストリームを要求した後、送出装置から該当するＩＰ放送ストリームが一定時間受信できないことを条件に、チャンネル設定動作を終了することを特徴とする。これにより、受信装置は不必要な要求メッセージを送出装置に送信することを防ぐことが可能となる。
【発明の効果】
【００１１】
本発明に係る受信装置によれば、ＩＰネットワークを利用した地上デジタル放送においてもチャンネル設定を行なうことができ、さらにチャンネル設定に要する時間を削減することができる。
【発明を実施するための最良の形態】
【００１２】
本発明の実施の形態に係る受信装置及び受信方法について、添付図面を用いて以下に詳述する。なお、図面において、実質的に同一の部材には同一の符号を付している。
【００１３】
（実施の形態１）
本実施の形態１では、デジタル放送を周波数チャンネルごとに分割した周波数チャンネルデータを、サーバが端末の要求に応じて配信するシステムにおいて、電波放送で用いる周波数を周波数チャンネルデータの識別子として用いてチャンネル設定を行なう場面をモデルケースとして説明する。
【００１４】
図１は、本発明におけるＩＰネットワークを利用したデジタル放送システムの概観を示した概略図である。図１において、ＩＰネットワーク網２０００は、例えば通信回線事業者が提供するＣＤＮ（Ｃｏｎｔｅｎｔｓ  Ｄｅｌｉｖｅｒｙ  Ｎｅｔｗｏｒｋ）であり、ＩＰ放送サーバ１０００は通信回線事業者の施設、受信装置３０００は一般家庭に設置されている。ＩＰ放送サーバ１０００は、受信装置３０００が指定した周波数チャンネルデータを、ＩＰネットワーク網２０００を介して受信装置３０００に対して送信する機能を有していれば、どのようなものであってもよい。受信装置３０００は、例えばテレビやＰＣなどが考えられるが、これに限定されるものではなく、ＩＰ放送サーバ１０００に対して要求した周波数チャンネルデータを、ＩＰネットワーク網２０００を介して受信する機能を備えた機器であれば、どのようなものであってもよい。
【００１５】
図２は、ＩＰ放送サーバ１０００の内部構成を示したブロック図である。図２において、デジタル放送チューナ１０１０は、電波によるデジタル放送を受信するためのアンテナに接続されており、指定された周波数で送信されてくる周波数チャンネルデータを取得する。ＩＰ放送ストリーム作成部１０２０は、デジタル放送チューナ１０１０が取得した周波数チャンネルデータをＩＰパケット化する。以下、ＩＰパケット化された周波数チャンネルデータをＩＰ放送ストリームと記述する。ネットワーク送受信部１０３０は、ＩＰネットワーク網２０００に接続するためのインターフェースであり、例えば、Ｅｔｈｅｒｎｅｔ（登録商標）コントローラなどが考えられる。サーバ制御部１０４０は、デジタル放送チューナ１０１０、ＩＰ放送ストリーム作成部１０２０、ネットワーク送受信部１０３０を制御するモジュールで、例えば、ＣＰＵ（Ｃｅｎｔｒａｌ  Ｐｒｏｃｅｓｓｉｎｇ  Ｕｎｉｔ）と制御プログラムとして実装される。
【００１６】
図３は、ＩＰ放送サーバ１０００が、周波数チャンネルデータの識別子として周波数を格納したストリーム要求を受信してから、ＩＰ放送ストリームを送信するまでのフローチャートを示している。
（ａ）ＩＰ放送サーバ１０００は、受信装置３０００からの要求を待つ（ステップＳ１００１）。
（ｂ）ネットワーク送受信部１０３０を介してストリーム要求を受信すると、サーバ制御部１０４０は、ストリーム要求に含まれる周波数を、デジタル放送チューナ１０１０に設定する（ステップＳ１００２）。
（ｃ）デジタル放送チューナ１０１０は、周波数チャンネルデータが取得できるかどうか確認を行う（ステップＳ１００３）。
（ｄ）周波数チャンネルデータが取得できた場合は、ＩＰ放送ストリーム作成部１０２０において、ＩＰ放送ストリームを作成し、ネットワーク送受信部１０３０を介して受信装置３０００に送信する（ステップＳ１００４）。その後、ストリーム要求の受信待ち状態（ステップＳ１００１）へ移行する。
（ｅ）ステップＳ１００３において、一定時間内に周波数チャンネルデータを取得することができなかった場合は、何も行なわずにストリーム要求の受信待ち状態（ステップＳ１００１）へ戻る。
【００１７】
図４は、受信装置３０００の内部構成を示したブロック図である。図４において、ネットワーク送受信部３０１０は、ＩＰネットワーク網２０００に接続するためのインターフェースであり、例えば、Ｅｔｈｅｒｎｅｔ（登録商標）コントローラなどが考えられる。ＤＥＭＵＸ３０２０は、ネットワーク送受信部３０１０が受信したＩＰ放送ストリームの中から、映像・音声データやＳＩ等のデータを分離・抽出する機能を持ち、例えば、半導体チップとして実装される。ＡＶデコーダ３０３０は、ＤＥＭＵＸ３０２０が抽出した映像・音声データの復号を行い、例えば、半導体チップとして実装される。表示部３０４０は、ＡＶデコーダ３０３０が復号した映像・音声を表示する装置で、例えば、スピーカを備えたＰＤＰ（Ｐｌａｓｍａ  Ｄｉｓｐｌａｙ  Ｐａｎｅｌ）やＬＣＤ（Ｌｉｑｕｉｄ  Ｃｒｙｓｔａｌ  Ｄｉｓｐｌａｙ）が考えられる。制御部３０５０は、ＤＥＭＵＸ３０２０、ＡＶデコーダ３０３０、および表示部３０４０を制御するモジュールで、例えばＣＰＵと制御プログラムとして実装される。番組情報テーブル３０６０は、ユーザのリモコン操作から、視聴する番組を選局するための情報を保持しており、例えば、ＨＤＤ（Ｈａｒｄ  Ｄｉｓｋ  Ｄｒｉｖｅ）やフラッシュメモリ等の不揮発性メモリに保存されている。本実施の形態では、番組情報テーブル３０６０は図５に示すような情報を保持している。
【００１８】
以下に、本実施の形態における受信装置３０００のチャンネル設定方法を説明する。
図６は、受信装置３０００がチャンネル設定を行なう場合のフローチャートを示している。
（ａ）制御部３０５０は、ユーザのリモコン操作により、チャンネル設定プログラムを起動する（ステップＳ３０００）。
（ｂ）制御部３０５０で実行されるチャンネル設定プログラムは、電波放送用に割当てられている最初の周波数をストリーム要求に格納し、ＩＰ放送サーバ１０００に対して送信する（ステップＳ３００１）。
（ｃ）制御部３０５０は、ストリーム要求送信後、ＩＰ放送ストリームの待ち状態へ遷移する（ステップＳ３００２）。
（ｄ）ステップＳ３００２において、制限時間内に制御部３０５０がＤＥＭＵＸ３０２０から番組情報テーブルを作成するために必用なＳＩが取得できた場合、ＳＩから番組情報テーブルに必要な情報を抽出し、番組情報テーブル３０６０を更新する（ステップＳ３００３）。
（ｅ）ステップＳ３００２において、制限時間内にＳＩが取得できなかった場合は、該当する周波数のＩＰ放送ストリームがないものと判断し、次のステップへ移行する。
（ｆ）制御部３０５０は、電波放送用に割当てられている周波数を全て要求したかどうかを判定し（ステップＳ３００４）、要求していない周波数が残っている場合は、ステップ３００１に戻る。
（ｇ）ステップＳ３００４において、全ての周波数の要求が終了したと判定された時点で、チャンネル設定プログラムを終了する（ステップＳ３００５）。
以上のような手順を踏むことにより、受信装置３０００は、番組情報テーブル３０６０を更新し、チャンネル設定を行なうことができる。
【００１９】
なお、図３に示すＩＰ放送サーバ１０００の動作シーケンスにおいて、ステップ１００３において、周波数チャンネルデータが取得できなかった場合に、受信装置３０００に対しエラー通知を行なうことで、図６に示す受信装置３０００のチャンネル設定フローにおいて、ステップＳ３００２での待ち時間を短縮することができる。
【００２０】
なお、本実施の形態では、周波数を番組識別子として用いたが、チャンネル番号など周波数が一意に特定できる情報であればよい。この場合、ＩＰ放送サーバ１０００は、図２に示す構成に加え、図７に示すように周波数変換テーブル１０５０をＨＤＤ等に保持し、チャンネル番号と周波数を対応付けする必要がある。この時に周波数変換テーブル１０５０が保持しておくべきデータを図８に示す。
【００２１】
さらに、周波数変換テーブル１０５０が図３に示す番組情報テーブルを備える場合、リモコンキー等を用いることで、周波数でスキャンを行なうよりも少ない回数でチャンネル設定を行なうことができる。
【００２２】
（実施の形態２）
本実施の形態では、デジタル放送を周波数チャンネルごとに分割した周波数チャンネルデータを、サーバが端末の要求に応じて配信するシステムにおいて、チャンネルＵＰキーのような方法で、サーバが配信可能な周波数チャンネルデータを端末が順次要求することで、チャンネル設定を行なう場面をモデルケースとして説明する。
【００２３】
本実施の形態におけるＩＰ放送サーバ１０００の構成は、実施の形態１で説明した図２と同様の構成をとる。
【００２４】
図９は、ＩＰ放送サーバ１０００がストリーム順次要求を受信した時のフローチャートを示している。
（ａ）ＩＰ放送サーバ１０００は、受信装置３０００からの要求を待つ（ステップＳ１１０１）。
（ｂ）サーバ制御部１０４０は、ネットワーク送受信部１０３０を介してストリーム順次要求を受信すると、デジタル放送チューナ１０１０に電波放送に割当てられた最小の周波数を設定する（ステップＳ１１０２）。
（ｃ）デジタル放送チューナ１０１０は、周波数チャンネルデータが取得できるかどうか確認を行い（ステップＳ１１０３）、周波数チャンネルデータが取得できた場合、ＩＰ放送ストリーム作成部１０２０において、ＩＰ放送ストリームを作成し、ネットワーク送受信部１０３０を介して受信装置３０００に送信する（ステップＳ１１０５）。
（ｄ）ステップＳ１１０３において、周波数チャンネルデータが取得できなかった場合は、デジタル放送用に割当てられている全周波数のスキャンが終了したかどうか判定し（ステップＳ１１０４）、全周波数のスキャンが終了していない場合、周波数をインクリメントし、ステップＳ１０１０に移行し、デジタル放送チューナ１０１０に設定する。
（ｅ）ステップＳ１１０４において、全周波数のスキャンが終了していた場合、ステップＳ１１０１のストリーム順次要求待ち状態へ遷移する。すなわち、ステップＳ１１０１でストリーム順次要求を受信すると、周波数チャンネルデータを受信できるまで、周波数スキャンを行い、受信できた周波数チャンネルデータを受信装置３０００に送信する。
【００２５】
本実施の形態における受信装置３０００は、実施の形態１で説明した図４と同様の構成をとる。
【００２６】
図１０は、受信装置３０００がストリーム順次要求を用いてチャンネル設定を行なう時のフローチャートを示している。
（ａ）制御部３０５０は、ユーザのリモコン操作により、チャンネル設定プログラムを起動する（ステップＳ３１００）。
（ｂ）制御部３０５０で実行されるチャンネル設定プログラムは、ＩＰ放送サーバ１０００に対してストリーム順次要求を送信する（ステップＳ３１０１）。
（ｃ）制御部３０５０は、ストリーム順次要求送信後、ＩＰ放送ストリームの待ち状態へ遷移する（ステップＳ３１０２）。
（ｄ）ステップＳ３１０２において、制限時間内に制御部３０５０がＤＥＭＵＸ３０２０から番組情報テーブル３０６０を作成するために必用なＳＩを取得した場合、ＳＩから番組情報テーブル３０６０に必要な情報を抽出し、番組情報テーブル３０６０を更新し（ステップＳ３１０３）、再びステップＳ３１０１においてストリーム順次要求をＩＰ放送サーバ１０００に対して送信する。
（ｅ）ステップＳ３１０２において、制限時間内にＳＩが取得できなかった場合は、ＩＰ放送サーバ１０００が受信できる周波数チャンネルデータが他に存在しないものと判断し、チャンネル設定を終了する（ステップＳ３１０４）。
以上のような手順を踏むことにより、受信装置３０００は番組情報テーブル３０６０を更新し、チャンネル設定を行なうことができる。
【００２７】
なお、図９に示すＩＰ放送サーバ１０００のフローチャートにおいて、ステップ１１０４において、全周波数のスキャンが終了した場合に、受信装置３０００に対し終了通知を行なうことで、図１０に示す受信装置３０００のフローチャートにおいて、ステップＳ３１０２での待ち時間を短縮することができる。
【００２８】
なお、ＩＰ放送サーバ１０００が実施の形態１で説明した図７に示す構成をとり、周波数変換テーブル１０５０に、図１１で示すような受信可能な周波数のテーブルを予め保持していれば、ステップＳ１１０２〜ステップＳ１１０４で行なっている周波数スキャンを省き、時間を短縮することができる。この場合の受信装置３０００のフローチャートを図１２に示す。
【００２９】
図１２は、図１０におけるステップＳ３１０１の前に、ＩＰ放送サーバ１０００が受信可能な周波数の数、すなわち受信装置３０００がストリーム順次要求を送信すべき回数を取得するためのステップＳ３２０１と、において、ストリーム順次要求を必要な数だけ送信したかどうか判定するステップＳ３２０２とを設けた場合の受信装置３０００がストリーム順次要求を用いてチャンネル設定を行なう時のフローチャートを示している。
（ａ）制御部３０５０は、ユーザのリモコン操作により、チャンネル設定プログラムを起動する（ステップＳ３１００）。
（ｂ）ＩＰ放送サーバ１０００が受信可能な周波数の数、すなわち受信装置３０００がストリーム順次要求を送信すべき回数を取得する（Ｓ３２０１）。
（ｃ）必要な数のストリーム順次要求を送信終了したか否か判断する（Ｓ３２０２）。必要な数の全てのストリーム順次要求を送信終了したと判断した場合（ＹＥＳ）には、その後、終了する（ステップＳ３１０４）。一方、必要な数のうち未だストリーム順次要求を送信していないものがあると判断した場合（ＮＯ）には、ステップＳ３１０１のストリーム順次要求送信に移行する。
（ｄ）制御部３０５０で実行されるチャンネル設定プログラムは、ＩＰ放送サーバ１０００に対してストリーム順次要求を送信する（ステップＳ３１０１）。
（ｅ）制御部３０５０は、ストリーム順次要求送信後、ＩＰ放送ストリームの待ち状態へ遷移する（ステップＳ３１０２）。
（ｆ）ステップＳ３１０２において、制限時間内に制御部３０５０がＤＥＭＵＸ３０２０から番組情報テーブル３０６０を作成するために必用なＳＩを取得した場合、ＳＩから番組情報テーブル３０６０に必要な情報を抽出し、番組情報テーブル３０６０を更新し（ステップＳ３１０３）、再びステップＳ３２０２に戻って、必要な数の全てのストリーム順次要求を送信終了したか否か判断する。
（ｇ）一方、ステップＳ３１０２において、制限時間内にＳＩが取得できなかった場合は、ＩＰ放送サーバ１０００が受信できる周波数チャンネルデータが他に存在しないものと判断し、ステップＳ３２０２に移行する。
以上のような手順を踏むことにより、受信装置３０００は番組情報テーブル３０６０を更新し、チャンネル設定を行なうことができる。この場合、必要な数のストリーム順次要求を送信終了したか否か判断するステップＳ３２０２を設けたことによって、確実性を高めることができる。
【００３０】
なお、実施の形態１、および実施の形態２において、ＩＰ放送ストリームの送信に用いるトランスポート層以上のプロトコルとしては、例えば、ＵＤＰ（Ｕｓｅｒ  Ｄａｔａｇｒａｍ  Ｐｒｏｔｏｃｏｌ）や、ＴＣＰ（Ｔｒａｎｓｍｉｓｓｉｏｎ  Ｃｏｎｔｒｏｌ  Ｐｒｏｔｏｃｏｌ）を用いたＨＴＴＰ（ＨｙｐｅｒＴｅｘｔ  Ｔｒａｎｓｆｅｒ  Ｐｒｏｔｏｃｏｌ）が考えられる。
【産業上の利用可能性】
【００３１】
本発明に係る受信装置は、ＩＰネットワークを利用した地上デジタル放送の受信を容易にするものとして有用である。
【図面の簡単な説明】
【００３２】
【図１】ＩＰネットワークを利用したデジタル放送システムの概観を示す概略図である。
【図２】ＩＰ放送サーバ１０００の内部構成を示すブロック図である。
【図３】ストリーム要求を受信した時のＩＰ放送サーバ１０００のフローチャートである。
【図４】受信装置３０００の内部構成を示すブロック図である。
【図５】番組情報テーブル３０６０の一例を示す概略図である。
【図６】受信装置３０００におけるチャンネル設定のフローチャートである。
【図７】受信装置３０００の内部構成を示すブロック図である。
【図８】周波数変換テーブル１０５０の一例を示す概略図である。
【図９】ＩＰ放送サーバ１０００において、ストリーム順次要求を受信した場合のフローチャートである。
【図１０】受信装置３０００におけるチャンネル設定のフローチャートである。
【図１１】周波数変換テーブル１０５０の一例を示す概略図である。
【図１２】受信装置３０００におけるチャンネル設定のフローチャートである。
【符号の説明】
【００３３】
１０００  ＩＰ放送サーバ
１０１０  デジタル放送チューナ
１０２０  ＩＰ放送ストリーム作成部
１０３０  ネットワーク送受信部
１０４０  サーバ制御部
１０５０  周波数変換テーブル 
２０００  ＩＰネットワーク網
３０００  受信装置
３０１０  ネットワーク送受信部
３０２０  ＤＥＭＵＸ
３０３０  ＡＶデコーダ
３０４０  表示部
３０５０  制御部
３０６０  番組情報テーブル 
【図１】
2007329701.tif 000003
【図２】
2007329701.tif 000004
【図３】
2007329701.tif 000005
【図４】
2007329701.tif 000006
【図５】
2007329701.tif 000007
【図６】
2007329701.tif 000008
【図７】
2007329701.tif 000009
【図８】
2007329701.tif 000010
【図９】
2007329701.tif 000011
【図１０】
2007329701.tif 000012
【図１１】
2007329701.tif 000013
【図１２】
2007329701.tif 000014